(57)【要約】【課題】送風装置の組付け作業性の向上などを図ることのできる遊技機を提供する。【解決手段】パチンコ機の背面側には、遊技盤の中央にて表示制御装置４５が配置されている。表示制御装置４５は冷却ファンを備えている。冷却ファンは基板ボックス内の表示制御基板に対し取付プレートを介して取付けられる。取付プレートは、冷却ファンを保持するホルダ部と、表示制御基板の周縁部に係止される係止片とを備えている。これに対し、表示制御基板の周縁部には、取付プレートの係止部に対応して切欠き状の凹部が形成されている。【選択図】      図７
2020195909.tif 000002
【特許請求の範囲】
【請求項１】
所定の契機に基づき抽選を行い、当該抽選により当選結果が得られた場合には遊技者にとって有利な特別遊技状態を発生させる遊技機であって、
制御基板を収容した基板ボックスを備え、
前記基板ボックスが、各種電子部品が実装された前記制御基板の実装面に相対向して配置される表壁部と、前記制御基板の裏面に相対向して配置される裏壁部と、前記制御基板の周縁部端面に相対向して配置される周壁部とを備えた略箱状をなす遊技機において、
前記基板ボックスのうち、少なくとも他の基板ボックスと隣接する側の前記周壁部及び前記表壁部の連接部において、当該周壁部及び表壁部に対し傾斜した面取り部を形成し、  前記面取り部を孔部が形成されない領域とし、
前記周壁部及び前記表壁部のうちの複数位置において孔部が形成されていることを特徴とする遊技機。
【発明の詳細な説明】
【技術分野】
【０００１】
本発明は、パチンコ機等の遊技機に関するものである。
【背景技術】
【０００２】
パチンコ機等の遊技機には、例えば遊技の統括的な制御を行う主制御装置や、表示演出を行うための表示装置を制御する表示制御装置など、制御基板が基板ボックスに収納された各種制御装置が配設されている（例えば特許文献１参照）。
【先行技術文献】
【特許文献】
【０００３】
【特許文献１】特開２００３−６２２８３号公報
【発明の概要】
【発明が解決しようとする課題】
【０００４】
しかしながら、制御装置の構成によっては、配線等へ影響を及ぼす場合がある。
【０００５】
尚、かかる課題は、パチンコ機に限らず、各種制御装置を備えるスロットマシン等の他の遊技機にも該当する問題である。
【０００６】
本発明は、上記例示した問題点などを解決するためになされたものであり、その目的は、配線等への影響を軽減することのできる遊技機を提供することにある。
【課題を解決するための手段】
【０００７】
上記の目的を達成するため、本発明に係る遊技機は、
所定の契機に基づき抽選を行い、当該抽選により当選結果が得られた場合には遊技者にとって有利な特別遊技状態を発生させる遊技機であって、
制御基板を収容した基板ボックスを備え、
前記基板ボックスが、各種電子部品が実装された前記制御基板の実装面に相対向して配置される表壁部と、前記制御基板の裏面に相対向して配置される裏壁部と、前記制御基板の周縁部端面に相対向して配置される周壁部とを備えた略箱状をなす遊技機において、
前記基板ボックスのうち、少なくとも他の基板ボックスと隣接する側の前記周壁部及び前記表壁部の連接部において、当該周壁部及び表壁部に対し傾斜した面取り部を形成し、  前記面取り部を孔部が形成されない領域とし、
前記周壁部及び前記表壁部のうちの複数位置において孔部が形成されていることをその要旨としている。
【発明の効果】
【０００８】
本発明の遊技機によれば、配線等への影響を軽減するという優れた効果を奏する。
【図面の簡単な説明】
【０００９】
【図１】一実施形態におけるパチンコ機を示す正面図である。
【図２】パチンコ機の斜視図である。
【図３】内枠及び前面枠セットを開放した状態を示す斜視図である。
【図４】内枠及び遊技盤の構成を示す正面図である。
【図５】内枠及び遊技盤の構成を示す背面図である。
【図６】パチンコ機の構成を示す背面図である。
【図７】保護カバーを取外した状態のパチンコ機の構成を示す背面図である。
【図８】電気的構成を示すブロック図である。
【図９】装飾図柄表示装置及び表示制御装置の分解斜視図である。
【図１０】サブ制御装置が載置された状態を示す、装飾図柄表示装置及び表示制御装置の背面図である。
【図１１】サブ制御装置が載置された状態を示す、装飾図柄表示装置及び表示制御装置を上方から見た斜視図である。
【図１２】図１０のＫ−Ｋ線部分断面図である。
【図１３】図１０のＬ−Ｌ線部分断面図である。
【図１４】組付け前の冷却ファン及び取付プレートをプレート表面側から見た斜視図である。
【図１５】表示制御基板への組付け前の冷却ファン及び取付プレートを基板裏面側から見た斜視図である。
【発明を実施するための形態】
【００１０】
上述したように、パチンコ機等の遊技機には、例えば遊技の統括的な制御を行う主制御装置や、表示演出を行うための表示装置を制御する表示制御装置など各種制御装置が配設されている。
【００１１】
従来より、これらの制御装置においては、中央処理装置（ＣＰＵ）等の電子部品が発熱を伴うため、例えば制御基板を収納する基板ボックスに放熱孔を設けるなど電子部品から生じる熱を効率良く逃がすための種々の放熱対策がとられている。
【００１２】
近年では、演出機能の多様化などにより、制御基板には、処理速度の速いＣＰＵ等、より高性能な電子部品が搭載されるようになってきている。例えば、液晶表示装置などを制御する表示制御基板には、処理速度の速いＣＰＵや画像処理装置（ＶＤＰ）などが搭載され、より多彩な表示演出が可能となっている。
【００１３】
一般に、ＣＰＵ等の処理速度、つまり動作クロック周波数が上がると、それに伴って消費電力が大きくなり、発生する熱量も増加する。このように基板ボックス内に多量の熱が発生するようになると、上述した放熱孔だけでは十分に熱を逃しきれず、電子部品の発する熱により制御装置が誤作動を起してしまうおそれがある。従って、高性能な電子部品を搭載した近年の制御装置では、冷却ファン等の送風装置を取付けるなど、より効率の高い放熱対策が求められる（例えば特許文献１参照）。
【００１４】
しかしながら、送風装置を基板ボックス内に配置する場合、それほど配置スペースに余裕のない基板ボックス内への制御基板等の組付け作業に加え、送風装置の組付け作業といった新たな作業が加わることとなる。さらに、送風装置を基板ボックスに組付けた後には、その狭いスペースの中で、送風装置の電源用配線を制御基板等に接続する作業を要する。そのため、送風装置の組付けは、基板ボックス組立て時における作業効率を著しく低下させるおそれがあった。
【００１５】
尚、かかる課題は、パチンコ機に限らず、各種制御装置を備えるスロットマシン等の他の遊技機にも該当する問題である。
【００１６】
本発明は、上記例示した問題点などを解決するためになされたものであり、その目的は、送風装置の組付け作業性の向上などを図ることのできる遊技機を提供することにある。
【００１７】
以下、パチンコ遊技機（以下、単に「パチンコ機」という）の一実施形態を、図面に基づいて詳細に説明する。ここで、図１はパチンコ機１０の正面図であり、図２は斜視図である。また、図３は、内枠１２及び前面枠セット１４を開放した状態を示す斜視図である。但し、図３では便宜上、遊技盤３０面上に配設される釘や役物、前面枠セット１４に取付けられるガラスユニット１３７などを省略して示している。
【００１８】
図１乃至図３に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００１９】
外枠１１の左辺部には、上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。また、便宜上、図示は省略するが、外枠１１の右辺部には、後述する施錠装置６００の係止部材が係止される上下一対の受け金具が取付けられている。さらに、外枠１１下部には、樹脂製の幕板飾り８５が取着されている。
【００２０】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００２１】
また、内枠１２の前面側には、前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００２２】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２３】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００２４】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００２５】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００２６】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２７】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰ（図８参照）が設けられるとともに、当該スピーカＳＰの前側にスピーカカバー２４が取着されている。
【００２８】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００２９】
次に、内枠１２（樹脂ベース３８）について図４，図５を参照して説明する。図４は、内枠及び遊技盤の構成を示す正面図であり、図５は、内枠及び遊技盤の構成を示す背面図である。
【００３０】
上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００３１】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び球通路７１を介して下皿１５に排出される。また、球通路７１の下側にはハーネスカバー７４が設けられている。これにより中継基板７５と発射装置７０とを接続するハーネス（図示略）をまとめている。
【００３２】
また、内枠１２の右側部背面側には施錠装置６００が設けられている。施錠装置６００は、前面枠セット１４の前面側に露出するシリンダ錠７００を備えており、該シリンダ錠７００の鍵穴に鍵を挿入し、一方に回動操作することで内枠１２を解錠でき、他方に回動操作することで前面枠セット１４及び裏パックユニット２０３を解錠できるようになっている。本実施形態では、内枠１２は外枠１１に対し施錠され、前面枠セット１４及び裏パックユニット２０３は内枠１２に対し施錠される。
【００３３】
次に、遊技盤３０の構成について図４を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、入球手段としての各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００３４】
また、第１契機対応口３３へ遊技球が入球したことを契機として大当たり抽選が行われ、当該大当たり抽選により当選結果が得られた場合には特別遊技状態としての大当たり状態が発生する。
【００３５】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００３６】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３７】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００３８】
装飾図柄表示装置４２は、液晶表示装置であって、後述するサブ制御装置５６０によって表示内容が制御される。すなわち、装飾図柄表示装置４２においては、特別表示装置４３にて表示される結果に対応させるように、主制御装置２６１からのコマンドに基づき、サブ制御装置５６０によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。センターフレーム４７内には、各種ＬＥＤ等の発光手段や、当該ＬＥＤ等を駆動するＬＥＤ制御基板なども配設されている。
【００３９】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００４０】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００４１】
内レール構成部５１の先端部分には戻り球防止部材５３が取着されている。これにより、一旦、レール５０から遊技盤３０の上部へと案内された遊技球が再度レール５０内に戻ってしまうといった事態が防止される。
【００４２】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００４３】
次に、パチンコ機１０の背面構成について図５，図６，図７を参照して説明する。パチンコ機１０の背面には、各種制御基板が上下左右に並べられるようにして、一部前後に重ねられるようにして配置されている。さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主制御基板としての主基板だけを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。なお、第１制御基板ユニット２０１、第２制御基板ユニット２０２及び裏パックユニット２０３は、ユニット単位で着脱できるよう構成されており、さらに、一部に支軸部を設けて内枠１２又は遊技盤３０の裏面に対して開閉できる構成となっている。
【００４４】
まず、遊技盤３０の背面構成について説明する。上述したように遊技盤３０の中央にはルータ加工によって形成された貫通穴に対して可変表示装置ユニット３５が配設されている。
【００４５】
可変表示装置ユニット３５の後部には、センターフレーム４７を背後から覆う樹脂製のフレームカバー２１３が後方に突出して設けられている。但し、本実施形態では、センターフレーム４７が遊技盤３０の前面側に固定され、フレームカバー２１３が遊技盤３０の裏面に固定されることによって、可変表示装置ユニット３５として一体化される構成となっている。そして、このフレームカバー２１３の後端に、液晶表示装置たる装飾図柄表示装置４２と表示制御装置４５とが前後に重ね合わされ一体化（ユニット化）された状態で取付けられている。さらに、表示制御装置４５の背面側にはサブ制御装置５６０が取付けられている。
【００４６】
ここで、まず装飾図柄表示装置４２及び表示制御装置４５の構造についてより詳しく説明する。
【００４７】
図９に示すように、ユニット化された装飾図柄表示装置４２及び表示制御装置４５では、樹脂材料等よりなる略長方形状のベースプレート６４５の前側に装飾図柄表示装置４２が配設され、ベースプレート６４５の後側に表示制御装置４５が配設されている。
【００４８】
ベースプレート６４５の前面側には、装飾図柄表示装置４２の本体部となる液晶表示器（液晶パネル）６４７が配設されている。液晶表示器６４７は、表示器として液晶を用いたディスプレイであり、略長方形状をなす薄板状に形成されている。
【００４９】
さらに、液晶表示器６４７の前面には、当該液晶表示器６４７を保護するための透明な保護パネル６４８が配設されている。
【００５０】
また、ベースプレート６４５の前面側には、液晶表示器６４７及び保護パネル６４８を重ね合わせた状態で係り止める窓枠フレーム６４９が配設される。窓枠フレーム６４９は後述するユニットカバー６５４に係止される。
【００５１】
一方、表示制御装置４５は、各種電子部品が実装された表示制御基板６５０を具備しており、この表示制御基板６５０がベースプレート６４５の背面側に取付けられている。そして、ベースプレート６４５の背面側には、透明樹脂材料等よりなるユニットカバー６５４が表示制御基板６５０を覆うように取付けられている。従って、ベースプレート６４５及びユニットカバー６５４により表示制御基板６５０を収容する基板ボックスが構成される。当該基板ボックスが本実施形態における基板ボックスに相当する。つまり、表示制御基板６５０が本実施形態における制御基板に相当する。
【００５２】
ユニットカバー６５４は、表示制御基板６５０の実装面（基板表面）６５０ａと相対向して略平坦に形成された略長方形状の背壁部６５５と、当該背壁部６５５の周縁部に沿って形成された上下左右の側壁部６５６とから形成されており、ベースプレート６４５側が開口面となった略箱形状に形成されたものである。
【００５３】
ユニットカバー６５４の背壁部６５５には、表示制御基板６５０に設けられた端子部６５８，６５９を外部に露出させるための端子部窓６６０が形成されている（図１１参照）。この端子部窓６６０を介して表示制御装置４５の外側から表示制御基板６５０の端子部６５８，６５９へのケーブルコネクタのコネクタ等の抜き差しが可能となる。つまり、端子部６５８，６５９の差込み口は側方を向いており、当該端子部６５８，６５９へのケーブルコネクタの接続方向が、表示制御基板６５０の実装面６５０ａに平行した方向となっている。
【００５４】
ユニットカバー６５４の上下左右の側壁部６５６には、それぞれ通気用の小孔群６６２が開口形成されている。本実施形態では、これらの小孔群６６２が排気口として機能する。なお、図１１等からも分かるとおり、小孔群６６２を構成する小孔には、小さな円形小孔６６２ａと、より大きな長孔６６２ｂの２種類がある。これは故障等の発生防止や不正防止の観点からであり、異物等が接触してほしくない電子部品が側壁部６５６の近傍に配置されている場合には当該箇所に対応して円形小孔６６２ａが設けられる。また、後述するＣＰＵ５２１やＶＤＰ５２６など、より重要な電子部品が側壁部６５６の近傍に配置されている場合などには、小孔群６６２が形成されないようにしてもよい。
【００５５】
さらに、背壁部６５５には、後述する冷却ファン６７５に対応して、後方へ突出したファンダクト部６６３が形成されている。ファンダクト部６６３の頂部には通気孔６６４が形成されている。本実施形態では、通気孔６６４が冷却用の外気を導入するための吸気口として機能する。
【００５６】
また、表示制御基板６５０は、各種電子部品が実装された実装面６５０ａとユニットカバー６５４の背壁部６５５との間、及び、基板裏面６５０ｂとベースプレート６４５との間にそれぞれ所定の隙間が確保されるように取付けられている（図１２，１３参照）。図１２は図１０のＫ−Ｋ線部分断面図であり、図１３は図１０のＬ−Ｌ線部分断面図である。
【００５７】
表示制御基板６５０には、後述するようなＣＰＵ５２１、プログラムＲＯＭ５２２、ワークＲＡＭ５２３、ビデオＲＡＭ５２４、キャラクタＲＯＭ５２５、ＶＤＰ５２６などの各種電子部品が実装されている。また、表示制御基板６５０は、端子部６５７を介して図示しないケーブルコネクタにより液晶表示器６４７（装飾図柄表示装置４２）と電気的に接続されている。従って、端子部６５７により後述する出力ポート５２９が構成される。また、上記端子部６５８，６５９により後述する入力ポート５２７が構成される。また、端子部６５７の差込み口も端子部６５８，６５９と同様に基板側方を向いており、端子部６５７へのケーブルコネクタの接続方向が表示制御基板６５０の実装面６５０ａに平行した方向となっている。
【００５８】
さらに、本実施形態では、表示制御基板６５０の後方位置において、送風装置としての冷却ファン６７５が設けられている。
【００５９】
冷却ファン６７５は、取付プレート６７０を介して、表示制御基板６５０の実装面６５０ａと相対向するように配置される（図１２，１３参照）。そして、ユニットカバー６５４の組付け時においては、冷却ファン６７５は上述したファンダクト部６６３内に配置された状態となる。
【００６０】
本実施形態では、発熱量の多い集積回路であるＣＰＵ５２１やＶＤＰ５２６等を主として冷却するように、ＣＰＵ５２１とＶＤＰ５２６との間の所定領域（ＶＤＰ５２６の上部を含む）に相対向している。
【００６１】
図１４等に示すように、冷却ファン６７５は、薄型の軸流式のものであって、ハウジング７００内に、複数の羽根や駆動モータよりなるファンモータ７０１が収容されている。なお、冷却ファン６７５が示された各図面では、便宜上、ファン７０１に設けられた複数の羽根等は省略されている。
【００６２】
冷却ファン６７５は電源用配線７０２を備えている（図１５参照）。これに対し、表示制御基板６５０の実装面６５０ａには、図９に示すように、電源用配線７０２用の端子部７０５が設けられている。そして、冷却ファン６７５の電源用配線７０２を端子部７０５に接続することにより、表示制御基板６５０を介して冷却ファン６７５に駆動電力が供給される。本実施形態では、端子部７０５の差込み口が後方を向いており、当該端子部７０５への電源用配線７０２の接続方向が、表示制御基板６５０の実装面６５０ａに対して直交する方向となっている。
【００６３】
上記構成により、冷却ファン６７５を駆動すると、ファンダクト部６６３（通気孔６６４）を介して吸い込まれた外気がユニットカバー６５４（表示制御装置４５）内へ導入され、ＣＰＵ５２１やＶＤＰ５２６に吹き付けられた後、ユニットカバー６５４内を通り、上下左右の側壁部６５６の小孔群６６２より外部に排出される。これにより、ＣＰＵ５２１やＶＤＰ５２６等が冷却される。
【００６４】
次に、取付プレート６７０について詳しく説明する。取付プレート６７０は、冷却ファン６７５を表示制御基板６５０に対し取付けるための装着部材であって、透明又は半透明なポリカーボネイトなどの非導電性の合成樹脂材料からなる。
【００６５】
図１４，１５に示すように、取付プレート６７０は、表示制御基板６５０に取付けるための取付基部となる略平板状のプレート基板７５１と、冷却ファン６７５を保持するための保持部及び枠部となるホルダ部７５２とを備えている。
【００６６】
プレート基板７５１は、縦長の長方形状をなし、その長辺の長さが表示制御基板６５０の上下長と同等に設定され、その短辺の長さが表示制御基板６５０の左右長の約３分の１程度に設定されている。
【００６７】
プレート基板７５１の上下両辺部には、それぞれプレート裏面側方向、すなわち表示制御基板６５０への取付方向に向けて支持脚部７５３が延出形成されている。支持脚部７５３は本実施形態における支持部を構成する。
【００６８】
また、プレート基板７５１の上下両辺部には、それぞれ支持脚部７５３の左右両側において、係止部としての係止片７５４が１つずつ形成されている。各係止片７５４は、支持脚部７５３と同様に、プレート基板７５１の裏面側方向に向けて延出形成されている。
【００６９】
係止片７５４の延出長は、支持脚部７５３の延出長よりもやや長く、さらに各係止片７５４の先端には、プレート基板７５１の上下方向内向きに突出した係止爪７５４ａが形成されている。
【００７０】
また、上下両辺部の支持脚部７５３には、それぞれ当該支持脚部７５３よりもさらに延出した位置決め用の突起部７５５が形成されている。但し、各突起部７５５の形成位置は上下両辺部において異なる。下辺部においては、突起部７５５が左右方向略中央部に形成されているのに対し、上辺部においては、突起部７５５が取付プレート６７０の表面側から見てやや左寄りに形成されている。これは、後述するように取付プレート６７０を表示制御基板６５０に取付けるに際し、当該取付プレート６７０が上下逆さまに取付けられることを防止するためである。
【００７１】
なお、上記係止片７５４及び突起部７５５に対応して、表示制御基板６５０の周縁部のうちの上縁部６５０ｃ及び下縁部６５０ｄには、切欠き状の凹部７５７，７５８が形成されている。本実施形態における表示制御基板６５０の周縁部とは、図１５に示すように、各種電子部品や配線パターンが配設される表示制御基板６５０中央寄りの実装領域Ｓを除く領域を指す。つまり、表示制御基板６５０の周縁部には、周囲の端面のみならず、当該端面から基板内向きにある程度の幅を有した範囲が含まれる。
【００７２】
また、プレート基板７５１の左右両辺部には、それぞれ補助用の支持部としての補助脚部７６０が設けられている。補助脚部７６０はプレート基板７５１の裏面側方向に向けて延出形成されている。取付プレート６７０の表面側から見て左側の補助脚部７６０は、ホルダ部７５２の上壁部７５２ａの高さ位置よりもやや下方位置に設けられている。一方、右側の補助脚部７６０は、ホルダ部７５２の下壁部７５２ｂの高さ位置よりもやや上方位置に設けられている。補助脚部７６０は、付根側に位置する基部７６０ａの先端から突出形成された比較的細径で円柱形状をなす突部７６０ｂを備えた構成となっている。これは、補助脚部７６０が当接する表示制御基板６５０の実装面６５０ａの中央部付近が、各種電子部品が密集して配設されている箇所であるため、極力、実装面６５０ａとの接触面積を小さくし、各種電子部品との接触を防止するためである。
【００７３】
プレート基板７５１の裏面側には、補強用の各種リブ７６２が上下又は左右方向に沿って設けられている。これによりプレート基板７５１の撓みが抑制される。
【００７４】
また、プレート基板７５１には、ホルダ部７５２の側方位置にて、冷却ファン６７５の電源用配線７０２を引っ掛けるための掛止部７６３が設けられている。
【００７５】
上記のように構成されたプレート基板７５１の略中央部には、冷却ファン６７５のハウジング７００の外周形状に合わせて形成された略矩形状の開口部７６５が設けられている。そして、この開口部７６５の周縁部から上記ホルダ部７５２がプレート基板７５１の表面側方向に向けて突出形成されている。
【００７６】
ホルダ部７５２は、その内周形状がここに嵌め込まれる冷却ファン６７５のハウジング７００の外周形状と略合致するように形成された枠体形状をなし、取付プレート６７０の表裏方向に通気可能なように貫通している。つまり、ホルダ部７５２は、冷却ファン６７５のハウジング７００の周囲を囲む上下左右４つの側壁部（上壁部７５２ａ、下壁部７５２ｂ、左壁部７５２ｃ及び右壁部７５２ｄ）からなる。
【００７７】
このうち、冷却ファン６７５を間に挟んで対向する上壁部７５２ａ及び下壁部７５２ｂには、その左右方向略中央部において、冷却ファン６７５の脱落を防止するための係止片７６８が設けられている。
【００７８】
より詳しくは、上壁部７５２ａ及び下壁部７５２ｂにおいて、それぞれプレート基板７５１との付根側から突出側に向けて一対の切込み部が形成されるともに、当該両切込み部間におけるホルダ部７５２付根側がプレート基板７５１と切り離されるようにして、当該付根側を自由端とした上記係止片７６８が形成されている。係止片７６８の先端部には、ホルダ部７５２の内周側向きに突出した係止爪７６８ａが設けられている。
【００７９】
一方、ホルダ部７５２の突出側開口部７５２ｅの各コーナー部には、コーナー内周側方向へ突出したストッパ７７０が形成されている。各ストッパ７７０は、弾性変形可能なように比較的薄肉にかつやや湾曲した形状となっている。
【００８０】
次に表示制御基板６５０への冷却ファン６７５の取付手順について説明する。先ずは、取付プレート６７０に対し冷却ファン６７５を嵌め込む。より詳しくは、取付プレート６７０の裏面側にて、冷却ファン６７５をホルダ部７５２に対し位置合わせした状態で、当該冷却ファン６７５に対し力をかけると、当該冷却ファン６７５が係止片７６８を弾性変形させつつホルダ部７５２内へ押し込まれていく。ある程度、冷却ファン６７５を押し込んでいくと、冷却ファン６７５がホルダ部７５２のストッパ７７０に当接する。ここで、ストッパ７７０を弾性変形させつつ、さらに冷却ファン７５２を押し込んでいくと、係止片７６８が弾性復帰する。これにより、係止爪７６８ａが冷却ファン６７５に係止され、冷却ファン７６５はホルダ部７５２内に保持される。また、ホルダ部７５２内においては、ストッパ７７０と係止爪７６８ａとにより、冷却ファン６７５が挟持された状態となる。
【００８１】
冷却ファン６７５の取付完了後、冷却ファン６７５の電源用配線７０２をプレート基板７５１の掛止部７６３に引っ掛ける。
【００８２】
続いて、ホルダ部７５２に冷却ファン６７５が嵌め込まれた状態の取付プレート６７０を表示制御基板６５０に取付ける。より詳しくは、表示制御基板６５０の実装面６５０ａ側にて、取付プレート６７０の係止片７５４及び突起部７５５の先端を、表示制御基板６５０の上縁部６５０ｃ及び下縁部６５０ｄの凹部７５７，７５８に位置合せする。この際、上述したように、突起部７５５の左右方向の形成位置が上下両辺部において異なるため、仮に取付プレート６７０を上下逆さまに取付けようとした場合には、各突起部７５５がこれに合わせて形成された表示制御基板６５０の凹部７５８の位置と合致せず、取付プレート６７０を取付けられないこととなる。
【００８３】
取付プレート６７０を正しく位置合わせした状態で、当該取付プレート６７０に対し力をかけると、係止片７５４が凹部７５７に当接して弾性変形しつつ、取付プレート６７０が表示制御基板６５０側に押し込まれていく。係止片７５４の係止爪７５４ａが凹部７５７を乗り越えると、係止片７５４が弾性復帰して、係止爪７５４ａが基板裏面６５０ｂに係止される。同時に、支持脚部７５３及び補助脚部７６０が表示制御基板６５０の実装面６５０ａに当接する。
【００８４】
表示制御基板６５０への取付プレート６７０の取付けが完了すると、表示制御基板６５０の上縁部６５０ｃ及び下縁部６５０ｄでは、当該上縁部６５０ｃ及び下縁部６５０ｄを、支持脚部７５３と係止片７５４とが挟持した状態となる。また、係止片７５４及び突起部７５５が凹部７５７，７５８に嵌り込んだ状態となる。これにより、取付プレート６７０は、前後方向、上下方向、左右方向への動きが規制された状態となる。また、冷却ファン６７５は、表示制御基板６５０の実装面６５０ａと所定間隔をあけた状態で、当該実装面６５０ａに相対向した状態で配設されることとなる（図１３参照）。
【００８５】
その後、冷却ファン６７５の電源用配線７０２を、表示制御基板６５０の実装面６５０ａの端子部７０５に接続する。これにより、冷却ファン６７５の表示制御基板６５０への取付けが完了する。
【００８６】
その後、冷却ファン６７５の取付けられた表示制御基板６５０をベースプレート６４５に対し取付ける。本実施形態では、ここでもネジ止め固定を要しない構成となっている。つまり、ベースプレート６４５には、図９に示すように、表示制御基板６５０の基板裏面６５０ｂに当接し、これを支持する支持突起６４５ａと、表示制御基板６５０の周縁部にて実装面６５０ａに係止される係止突部６４５ｂとを備えている。そして、取付けの際には、表示制御基板６５０をベースプレート６４５に対し正しく位置合わせした状態で、当該表示制御基板６５０に対し力をかけ、ベースプレート６４５側へ押し込むことにより、取付けが完了する。
【００８７】
上記のように構成された装飾図柄表示装置４２及び表示制御装置４５は、上記窓枠フレーム６４９と上記ユニットカバー６５４とを組付けることにより一体化（ユニット化）される。より詳しくは、窓枠フレーム６４９には複数の係止爪６４９ａが形成され、これに対応してユニットカバー６５４には前記係止爪６４９ａが係止される係止孔６８３が形成されている。そして、窓枠フレーム６４９及びユニットカバー６５４が係止されることで略箱状のハウジングが構成され、この中に装飾図柄表示装置４２及び表示制御装置４５が収容されて一体化された状態となる。
【００８８】
さらに、上下２箇所ずつ計４箇所の係止孔６８３にはそれぞれ封止部材６８６が嵌め込まれている。封止部材６８６は一旦嵌め込まれると取外し不能となるとともに、係止爪６４９ａの弾性変形を規制する。これにより窓枠フレーム６４９及びユニットカバー６５４が開封不能に連結された状態となる。但し、封止部材６８６を切断する等して取外すことにより、窓枠フレーム６４９及びユニットカバー６５４は開封可能となる。従って、封止部材６８６による封止処理は、その封止後の不正な開封を防止し、また万一不正開封が行われてもそのような事態を早期に且つ容易に発見可能とする。
【００８９】
さて、本実施形態では、図１０，１１に示すように、ユニットカバー６５４の背壁部６５５にはサブ制御装置５６０が載置されている。図１０は、ユニットカバー６５４にサブ制御装置５６０が載置された状態を示す上記ユニット（装飾図柄表示装置４２及び表示制御装置４５）の背面図であり、図１１はその斜視図である。
【００９０】
サブ制御装置５６０は、後述するように主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板が透明樹脂材料等よりなる基板ボックス５６２に収容されて構成されている。
【００９１】
基板ボックス５６２の裏面には、図示しない係合爪部が形成されており、当該係合爪部が上記ユニットカバー６５４の背壁部６５５に形成された係合孔部６８４に係合されることによりサブ制御装置５６０（基板ボックス５６２）が固定される。
【００９２】
また、遊技盤３０の裏面には、可変表示装置ユニット３５を取り囲むようにして裏枠セット２１５が取付けられている。この裏枠セット２１５は、遊技盤３０の裏面に張り付くようにして設けられる薄型の樹脂成形品であって、各種入賞口に入賞した遊技球を回収するための球回収機構２１６を備えている。また、第２制御基板ユニット２０２には、球回収機構２１６の下方位置において排出通路部２１７が形成されており、該排出通路部２１７には排出球をパチンコ機１０外部へ排出する排出シュート２１８が形成されている（図６参照）。従って、一般入賞口３１等に入賞した遊技球は何れも裏枠セット２１５の球回収機構２１６を介して集合し、さらに排出通路部２１７の排出シュート２１８を介してパチンコ機１０外部に排出される。なお、アウト口３６も同様に排出通路部２１７に通じており、何れの入賞口にも入賞しなかった遊技球も排出シュート２１８を介してパチンコ機１０外部に排出される。
【００９３】
ここで、装飾図柄表示装置４２、表示制御装置４５及びサブ制御装置５６０をユニット化したもの（以下、表示装置組付体という）を上記フレームカバー２１３に取付け、センターフレーム４７と一体化して、可変表示装置ユニット３５とする手順について説明する。取付順序としては、まず表示装置組付体をフレームカバー２１３に対して傾斜させ、ユニットカバー６５４の下部の側壁部６５６に形成された位置決め部材６９０を、フレームカバー２１３に形成された下側受部６９１（図５参照）に挿入しつつ、表示装置組付体を徐々に垂直状態にしていき、フレームカバー２１３に嵌め込んでいく。そして、表示装置組付体が完全に嵌め込まれた状態で、ユニットカバー６５４の上部の側壁部６５６に形成されたスライドバー６９２を操作して外方向へスライドさせる。そして、スライドバー６９２の先が、フレームカバー２１３に形成されたバー受部６９３（図５参照）に差込まれ係合される。このようにして、表示装置組付体はフレームカバー２１３に固定された状態となるとともに、センターフレーム４７と一体化した状態となる。
【００９４】
さらに、遊技盤３０の裏面には、各種入賞口などの遊技球の通過を検出するための入球検出手段としての検出スイッチなどが設けられている。具体的には、遊技盤３０表側の一般入賞口３１に対応する位置には入賞口スイッチ２２１が設けられ、可変入賞装置３２にはカウントスイッチ２２３が設けられている。カウントスイッチ２２３は可変入賞装置３２に入賞した遊技球をカウントするスイッチである。また、第１契機対応口３３に対応する位置には第１契機対応口（始動口）スイッチ２２４が設けられ、第２契機対応口３４に対応する位置には第２契機対応口（ゲート）スイッチ２２５が設けられている。
【００９５】
入賞口スイッチ２２１、カウントスイッチ２２３及び第２契機対応口（ゲート）スイッチ２２５は、ケーブルコネクタを介して第１盤面中継基板２２６に接続され、さらにこの第１盤面中継基板２２６が後述する主基板（主制御装置２６１）にケーブルコネクタを介して接続されている。これに対し、第１契機対応口（始動口）スイッチ２２４は中継基板を経ることなく直接主基板にケーブルコネクタを介して接続されている。
【００９６】
その他図示は省略するが、可変入賞装置３２には、大入賞口を開放するための駆動手段としての大入賞口ソレノイドが設けられ、第１契機対応口３３には、電動役物を開放するための駆動手段としての第１契機対応口（始動口）ソレノイドが設けられている。これら大入賞口ソレノイド及び第１契機対応口（始動口）ソレノイドはケーブルコネクタを介して第２盤面中継基板２２７に接続され、さらにこの第２盤面中継基板２２７がやはりケーブルコネクタを介して主基板に接続されている。
【００９７】
上記検出スイッチにて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出しが実施される。本実施形態のパチンコ機１０では、各種入賞口毎に遊技球の入賞を電気的に感知して払出しが直ちに行われる。
【００９８】
さて、第１制御基板ユニット２０１に設けられた主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。
【００９９】
なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【０１００】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【０１０１】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【０１０２】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【０１０３】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【０１０４】
次に、裏パックユニット２０３の構成を説明する。裏パックユニット２０３は、樹脂成形された裏パック３５１と遊技球の払出機構部３５２とを一体化したものである。
【０１０５】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖されかつ前面及び下面が開放された形状をなし、少なくとも可変表示装置ユニット３５を囲むのに十分な大きさを有する。但し、本実施形態では、主制御装置２６１の一部も合わせて覆う構成となっている。保護カバー部３５４により、後述する上部のタンク３５５等から落下してくる遊技球等から可変表示装置ユニット３５が保護される。
【０１０６】
また、保護カバー部３５４の背面には多数の通気孔３５４ａが設けられている。但し、表示制御装置４５の冷却ファン６７５の後方位置には通気孔３５４ａが設けられていない。これは、表示制御装置４５内への塵や埃等の異物の侵入を抑制するためである。
【０１０７】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ３５８ａ等の所定の電気的構成により必要個数の遊技球の払出が適宜行われる。そして、払出装置３５８より払い出された遊技球は上記上皿１９等に供給される。
【０１０８】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【０１０９】
次に、パチンコ機１０の電気的構成について説明する。図８は、本パチンコ機１０の電気的構成を示すブロック図である。パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１１０】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【０１１１】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１１２】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置５６０、特別表示装置４３、普通図柄表示装置４１が接続されている。但し、普通図柄表示装置４１及び特別表示装置４３とは、サブ制御装置５６０の入出力ポート５５４を中継手段として接続されている。その他、便宜上、図示は省略するが、上記第１契機対応口スイッチ２２４等の各種検出スイッチや、第１盤面中継基板２２６等の各種基板などの各種電気部品が接続されている。この構成により、上述した特別表示装置４３および普通図柄表示装置４１は、主制御装置２６１により直接的に制御される。一方、装飾図柄表示装置４２は、サブ制御装置５６０を介して制御される。
【０１１３】
サブ制御装置５６０（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１１４】
入出力ポート５５４には、バスライン５５５を介してＣＰＵ５５１、ＲＯＭ５５２、ＲＡＭ５５３が接続されている。さらに、入出力ポート５５４には、表示制御装置４５、スピーカＳＰ、各種電飾部及びランプ１０２〜１０４等が接続されている。
【０１１５】
サブ制御装置５６０のＣＰＵ５５１は、例えば主制御装置２６１から送信される指令信号（例えば変動パターンコマンド）に基づいて表示制御装置４５に表示制御を実行させ、装飾図柄表示装置４２に表示させる。さらに、サブ制御装置５６０は、音声やランプ表示の制御を司る。なお、上記のように、本実施形態では、主制御装置２６１が制御する特別表示装置４３にて大当たりか否かを表示するようになっており、サブ制御装置５６０が制御する装飾図柄表示装置４２では、前記特別表示装置４３の表示に合わせた表示が行われる。
【０１１６】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１１７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【０１１８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【０１１９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【０１２０】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１２１】
表示制御装置４５は、サブ制御装置５６０からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置５６０の入出力ポート５５４が接続されている。また、入力ポート５２７には、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１２２】
表示制御装置４５のＣＰＵ５２１は、サブ制御装置５６０から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行なう。
【０１２３】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１２４】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１２５】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１２６】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１２７】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１２８】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１２９】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１３０】
以上詳述したように、本実施形態では、表示制御基板６５０をベースプレート６４５（基板ボックス）に対し取付ける前段階に、取付プレート６７０を介して事前に冷却ファン６７５を表示制御基板６５０に取付けておくことができる。結果として、ベースプレート６４５に対し表示制御基板６５０と別々に冷却ファン６７５を組付けるといった手間のかかる作業を行わなくともよい。さらには、表示制御基板６５０をベースプレート６４５へ組付ける前段階に、事前に冷却ファン６７５の電源用配線７０２を表示制御基板６５０の端子部７０５に接続しておくことができる。結果として、冷却ファン６７５の組付け作業性が格段に向上する。
【０１３１】
上述したように、取付プレート６７０への冷却ファン６７５の取付け、及び、表示制御基板６５０への取付プレート６７０の取付けは、ネジ等の固定具を用いることなく、ワンタッチで行うことができるため、作業効率が格段に向上する。また、ネジ等に帯電した静電気が原因となってノイズが発生し、電子部品が誤作動する等といった不具合の発生も低減される。さらには、部品点数の増加等を抑制することもできる。
【０１３２】
また、取付プレート６７０は表示制御基板６５０の周縁部に係止されるように構成されているため、例えば表示制御基板６５０に係止部を挿し込むための孔部やネジ孔等を設けなくともよく、電子部品や配線パターンを配設するための比較的大きなスペースを確保しやすくなる。加えて、表示制御基板６５０の周縁部は、電子部品や配線パターンが配設されていない箇所であるため、係止片７５４を係止する作業や係止解除作業も比較的行いやすく、作業性がさらに向上する。
【０１３３】
取付プレート６７０の係止片７５４は、表示制御基板６５０の凹部７５７に係合した状態で、先端の係止爪７５４ａが基板裏面６５０ｂに係止されることとなる。これにより、取付プレート６７０の位置ズレ防止を図り、組付け状態の安定性を高めることができる。また、取付プレート６７０の組付け作業時には、凹部７５７が、係止片７５４の係止位置を示す目印となるため、位置合わせが行いやすく、作業効率を高めることができる。
【０１３４】
また、取付プレート６７０が透明又は半透明部材であることから、上記のように取付プレート６７０が表示制御基板６５０の実装面６５０ａの比較的広範囲を覆うように配置されている場合でも、取付プレート６７０を介して表示制御基板６５０の実装面６５０ａを視認可能となる。これにより、ＣＰＵ５２１等の電子部品の視認性が損なわれるといった不具合を極力少なくすることができるとともに、仮にプログラムＲＯＭ５２２等の電子部品の交換といった不正行為が行われた場合でも、当該不正行為を早期に発見することができる。ひいては、このような不正行為の抑止にもなる。
【０１３５】
さらに、取付プレート６７０が非導電性であるとともに、冷却ファン６７５が表示制御基板６５０の電子部品と離間して配置されるため、冷却ファン６７５にて発生した静電気や振動等に起因したノイズが電子部品に伝わりにくく、誤作動等の不具合が発生しにくい。
【０１３６】
加えて、冷却ファン６７５が表示制御基板６５０の電子部品と離間して配置されていることで、冷却ファン６７５が相対向する位置においても、側方から電子部品を確認することができる。結果として、不正行為の早期発見や不正行為の抑止効果にも優れる。逆に、ＶＤＰ５２６等の高熱を発する電子部品などと接触しないことで、冷却ファン６７５が過熱されるおそれも低減される。
【０１３７】
また、一般的に、制御基板を収容する基板ボックス（ユニットカバー６５４）は、多様な電子部品に対応できるよう汎用性をもたせるため、制御基板の実装面（表示制御基板６５０の実装面６５０ａ）とこれに対向する基板ボックスの壁部（背壁部６５５）との間が比較的幅広に設計されている。このため、基板ボックス内には余分な空間が多く、送風装置（冷却ファン６７５）によって単に空気を対流させるだけでは、制御基板に実装された電子部品を効率よく冷却させることが難しかった。これに対し、制御基板に向けて外気を送風するようにすれば、所定の電子部品を効率よく冷却することができるようになる。しかし、このような構成としても、効率よく冷却できる範囲はそれほど広くなく、限定的である。
【０１３８】
この点、本実施形態のように、取付プレート６７０を介して冷却ファン６７５を表示制御基板６５０に取付ける構成とすれば、当該取付プレート６７０（プレート基板７５１）が、ユニットカバー６５４の背壁部６５５よりも、さらに表示制御基板６５０の実装面６５０ａの近くに配置されることとなる。つまり、冷却ファン６７５から送風される空気の流路が狭まることとなる。このため、より広範囲でより多くの電子部品を効率よく冷却することができるようになる。このように取付プレート６７０（プレート基板７５１）を表示制御基板６５０の実装面６５０ａのより近くに配置した場合には特に、当該取付プレート６７０が透明又は半透明部材であることの上記作用効果がより奏効することとなる。
【０１３９】
なお、上述した実施形態の記載内容に限定されず、例えば次のように実施してもよい。
【０１４０】
（ａ）上記実施形態では、冷却ファン６７５の取付構造を表示制御装置４５に適用した例を示したが、主制御装置２６１など他の制御装置に対しての取付構造に本発明を適用してもよい。
【０１４１】
（ｂ）取付プレート６７０の材質は上記実施形態に限定されるものではない。例えば、不透明部材により構成してもよいし、導電性部材により構成してもよい。導電性部材により構成した場合にはアースとして利用してもよい。
【０１４２】
（ｃ）取付プレート６７０の形状や構造は上記実施形態に限定されるものではない。例えば、突起部７５５や、支持脚部７５３、補助脚部７６０、補強用のリブ７６２、掛止部７６３などを省略した構成としてもよい。なお、支持脚部７５３及び補助脚部７６０の両者を省略した場合には、冷却ファン６７５が直接、又は、放熱板等を介して、表示制御基板６５０の実装面６５０ａや所定の電子部品に当接した状態で、取付プレート６７０の係止片７５４が表示制御基板６５０に係止される構成となる。
【０１４３】
また、ホルダ部７５２や、補助脚部７６０、掛止部７６３などが位置調整可能なように、プレート基板７５１に対し相対移動可能に設けられた構成としてもよい。
【０１４４】
また、取付プレート６７０の表面側から、ホルダ部７５２に対し冷却ファン６７５を取付可能な構成とし、取付プレート６７０を表示制御基板６５０に取付けた後、当該取付プレート６７０に対し冷却ファン６７５を取付ける構成としてもよい。
【０１４５】
（ｄ）上記実施形態では、取付プレート６７０は、表示制御基板６５０の上縁部６５０ｃ及び下縁部６５０ｄに対し係止される構成となっているが、これに限らず、取付プレート６７０が例えば表示制御基板６５０の左右縁部に係止される構成としてもよい。
【０１４６】
（ｅ）上記実施形態では、冷却ファン６７５が、ＣＰＵ５２１とＶＤＰ５２６との間の所定領域に相対向して配置されているが、これに限らず、例えばＣＰＵ５２１やＶＤＰ５２６など特定の電子部品に相対向して配置される構成としてもよい。このようにすれば、ＶＤＰ５２６等の高熱を発する電子部品など特定の電子部品に対し、基板ボックス内の空気よりも冷たい外気を集中的に送風し、当該電子部品を効率良く冷却することができる。
【０１４７】
また、発熱する電子部品の熱を発散させるための放熱板（ヒートシンク）を備えるとともに、当該放熱板を冷却するように冷却ファン６７５が配置される構成としてもよい。
【０１４８】
また、上記実施形態のように、冷却ファン６７５の送風方向が表示制御基板６５０の実装面６５０ａと略直交する方向に向くのではなく、表示制御基板６５０の実装面６５０ａと略平行方向に向くように冷却ファン６７５が配置される構成を採用してもよい。すなわち、このような向きに冷却ファン６７５を組付け可能な取付プレート６７０を採用してもよい。勿論、冷却ファン６７５の送風方向が表示制御基板６５０の実装面６５０ａと略直交する方向に向いている場合でも、当該実装面６５０ａから離間する方向に向け送風する構成、すなわち冷却ファン６７５が排気用に機能する構成としてもよい。
【０１４９】
（ｆ）上記実施形態とは異なるタイプのパチンコ機として実施してもよい。また、パチンコ機以外にも、アレンジボール機、それに類する雀球等の各種遊技機、スロットマシン等の回胴式遊技機、スロットマシンとパチンコ機とを融合した形式の遊技機などとして実施してもよい。
【０１５０】
以下、特許請求の範囲の請求項に記載されないものであって、上記実施形態から把握できる技術的思想について、その効果とともに記載する。
【０１５１】
手段１．所定の契機に基づき抽選を行い、当該抽選により当選結果が得られた場合には遊技者にとって有利な特別遊技状態を発生させる遊技機であって、
各種電子部品が実装された制御基板と、当該制御基板を収容した基板ボックスとを備えるとともに、
所定の送風装置と、
前記送風装置を保持可能に構成されるとともに、当該送風装置を前記制御基板に装着させる装着部材とを備えたことを特徴とする遊技機。
【０１５２】
上記手段１によれば、制御基板を基板ボックスへ組付ける前段階に、装着部材を介して事前に送風装置を制御基板に組付けておくことができる。例えば、先ず装着部材に対し送風装置を保持させる。そして、当該装着部材を制御基板に装着する。その後、当該制御基板を基板ボックスに対し組付ける。このため、基板ボックスに対し制御基板と別々に送風装置を組付けるといった手間のかかる作業を行わなくともよい。さらには、制御基板を基板ボックスへ組付ける前段階に、事前に送風装置の電源用配線を制御基板に接続しておくことができる。結果として、送風装置の組付け作業性が格段に向上し、ひいては基板ボックス組立て時における作業効率を格段に高めることができる。
【０１５３】
なお、装着部材が、「送風装置を、制御基板の表面（実装面）と相対向させた状態（送風方向が実装面と略直交した状態）で、制御基板に装着させる」構成とすれば、制御基板に実装された電子部品に対し効率よく送風することができる。
【０１５４】
手段２．前記装着部材は透明部材又は半透明部材により構成されていることを特徴とする手段１に記載の遊技機。
【０１５５】
送風装置に加え、装着部材が基板表面側に配置されることで、基板表面のより広範囲が覆われ、基板表面の視認性を低下させるおそれがある。
【０１５６】
これに対し、上記手段２によれば、装着部材を基板表面に重なるように配置した場合でも、透明部材等よりなる当該装着部材を介して基板表面を視認可能となり、ＣＰＵ等の電子部品の視認性が損なわれるといった不具合を極力少なくすることができる。
【０１５７】
換言すれば、装着部材を取外すことなく、電子部品を容易に確認することができる。このため、仮にＲＯＭ等の電子部品の交換といった不正行為が行われた場合でも、当該不正行為を早期に発見することができるとともに、このような不正行為の抑止にもなる。一般的に、パチンコ機等の遊技機においては、不正防止の観点から、基板ボックス自体も透明部材等により構成されている。そのため、基板ボックスが遊技機本体に取付けられた状態でも、当該基板ボックス外部から電子部品の確認を容易に行うことができる。
【０１５８】
なお、送風装置の組付け方法としては、例えば、発熱する電子部品の熱を発散させるための放熱板（ヒートシンク）に送風装置を固定する方法が考えられる。しかし、通常、放熱板は金属製であり視認性を欠くため、上記同様の理由で電子部品の視認性を低下させるおそれがある。このため、上記不正防止の観点から見れば、パチンコ機等の遊技機においては、視認性を低下させる放熱板を省略することが好ましい。放熱板を省略した場合には、勿論、放熱板を利用した送風装置の組付け方法は採用することはできない。
【０１５９】
手段３．前記装着部材は、前記制御基板の周縁部裏側に係止される係止部を備えていることを特徴する手段１又は２に記載の遊技機。
【０１６０】
なお、ここでいう制御基板の周縁部とは、制御基板の周囲において電子部品や配線パターンが配設されていない箇所を指す。つまり、制御基板の周囲の端面のみならず、当該端面から基板内向きにある程度の幅を有した範囲を含む。
【０１６１】
装着部材の制御基板への組付け方法として、ネジ等の固定具によって固定する方法が最も一般的な方法として考えられるが、以下に例示するような不具合がある。
【０１６２】
例えば、ネジ止めする際には装着部材と制御基板にそれぞれ設けられたネジ孔を合致させた上で、ドライバなどの工具を用いて固定作業を行わなければならず、作業効率が著しく低下するおそれがある。また、多数のネジ等を必要とするため、部品点数の増大や工数の増大等といった不具合を招く。
【０１６３】
また、ネジ孔等を制御基板に設けなくてはならず、電子部品や配線パターンを配設できない領域が増える。
【０１６４】
さらには、ネジ等に帯電した静電気が原因となってノイズが発生し、電子部品の誤作動につながるおそれがある。特に、遊技機における表示制御基板において、このような不具合が発生した場合、その影響が表示画面におけるチラツキ等の不具合として現れるため、直接的に遊技者に与える影響が大きい。
【０１６５】
この点、上記手段３によれば、ネジ等の固定具を用いることなく、容易に着脱可能となるため、作業効率が格段に向上する。また、部品点数の増加等を抑制することもできる。
【０１６６】
さらに、装着部材が制御基板の周縁部に係止されるため、制御基板に係止部を挿し込むための孔部やネジ孔等を設けなくともよく、電子部品や配線パターンを配設するための比較的大きなスペースを確保しやすくなる。また、制御基板の周縁部は、電子部品や配線パターンが配設されていない箇所であるため、係止部を係止する作業や係止解除作業も比較的行いやすく、作業性が向上する。
【０１６７】
手段４．前記制御基板の周縁部に切欠き状の凹部が形成され、当該凹部の形成位置にて前記装着部材の係止部が係止されることを特徴とする手段３に記載の遊技機。
【０１６８】
上記手段４によれば、係止部の本体部が凹部に係合した状態で、係止部先端の係止爪部が制御基板の周縁部裏側に係止されることとなる。これにより、装着部材の位置ズレ防止を図り、組付け状態の安定性を高めることができる。また、装着部材の組付け作業時には、凹部が、係止部の係止位置を示す目印となるため、位置合わせが行いやすく、作業効率を高めることができる。
【０１６９】
手段５．前記制御基板の周縁部表側に当接し、前記送風装置を前記制御基板の電子部品と離間させた状態で支持する支持部を備えたことを特徴とする手段３又は４に記載の遊技機。
【０１７０】
上記手段５によれば、装着部材の係止部と支持部とが、制御基板の周縁部を挟持する挟持手段として機能し、送風装置の組付け状態の安定性を高めることができる。
【０１７１】
なお、上述した放熱板は、その機能上、発熱する電子部品に密着するように取付けられる。従って、放熱板を介して送風装置を組付ける構成では、送風装置にて発生した静電気や振動等に起因したノイズが放熱板を介して電子部品に伝わり、誤作動が発生するおそれがある。これに対し、上記手段５では、送風装置が制御基板の電子部品と離れた位置に配置されるため、このような不具合を抑制することができる。
【０１７２】
また、送風装置が基板表面から浮いているため、当該送風装置が相対向する位置においても、側方から電子部品を確認することができる。結果として、不正行為の早期発見や不正行為の抑止効果の点においても優れている。
【０１７３】
手段６．前記装着部材は、非導電性材料により構成されていることを特徴とする手段１乃至５のいずれかに記載の遊技機。
【０１７４】
仮に導電性を有する金属製等の装着部材を採用した場合には、送風装置にて発生した静電気や振動等に起因したノイズが装着部材を介して制御基板の配線パターン、ひいては電子部品に伝わり、誤作動が発生するおそれがある。これに対し、本手段６では、装着部材が非導電性材料（例えば非導電性の合成樹脂材料など）により構成されているため、このような不具合を抑制することができる。
【０１７５】
手段７．前記装着部材は、前記送風装置を係止して保持する保持部を備えていることを特徴とする手段１乃至６のいずれかに記載の遊技機。
【０１７６】
上記手段７によれば、ネジ等の固定具を用いることなく、送風装置を装着部材に対し容易に着脱可能となるため、作業性が向上する。加えて、部品点数の増加も抑制できる。
【０１７７】
手段８．前記装着部材は、前記送風装置の外周形状に沿って形成されかつ当該送風装置が嵌め込まれる枠部を備えていることを特徴とする手段１乃至７のいずれかに記載の遊技機。
【０１７８】
上記手段８によれば、送風装置が枠部に嵌め込まれることにより、装着部材に対する送風装置の位置ズレなどが防止され、組付安定性が向上する。また、装着部材への送風装置の組付け作業時における位置合わせ作業等も比較的容易となり、作業性が向上する。
【０１７９】
手段９．前記送風装置は、前記装着部材に対し、前記制御基板の表面に向けて送風する向きに組付けられることを特徴する手段１乃至８のいずれかに記載の遊技機。
【０１８０】
上記手段９によれば、制御基板に実装された電子部品に対し効率よく送風することができる。
【０１８１】
さらに、「前記送風装置が、前記制御基板に実装された電子部品のうち特定の電子部品に相対向して配置され、当該特定の電子部品に向けて送風する」構成とすれば、例えばＣＰＵ等の高熱を発する電子部品など特定の電子部品を集中的に冷却することができる。
【０１８２】
手段１０．前記装着部材には、補強用リブが設けられていることを特徴とする手段１乃至９のいずれかに記載の遊技機。
【０１８３】
上記手段１０によれば、装着部材の剛性を高め、送風装置の組付け状態の安定性を高めることができる。
【０１８４】
例えば、装着部材が、制御基板の周縁部のうちの相対向する両辺部間に架け渡されるように装着される場合には、当該装着部材の中央部付近が基板表面から浮いた状態となり、比較的撓みやすくなるおそれがある。これに対し、上記のように補強用リブを設けることにより、このような不具合を抑制することができ、中央部付近に送風装置が配設されている場合でも、送風装置の組付け状態の安定性が向上する。
【０１８５】
また、これに代えて又は加えて、制御基板の周縁部にて当接する上記支持部とは別に、制御基板に当接する補助用の支持部を備えた構成としてもよい。例えば装着部材の長手方向のうち、送風装置が配設される範囲内において、補助用の支持部が設けられる構成とすれば、送風装置の組付け状態の安定性がさらに向上する。
【０１８６】
手段１１．前記制御基板の表面側において、前記送風装置の電源用配線が接続される端子部を備えた構成であって、
前記端子部への前記電源用配線の接続方向が、前記制御基板の表面に対して直交する方向となっていることを特徴とする手段１乃至１０のいずれかに記載の遊技機。
【０１８７】
上記手段１１によれば、例えば電子部品が密集して配設されている箇所に端子部が設けられている場合においても、当該端子部への電源用配線の着脱作業が比較的行いため、作業性が向上する。
【０１８８】
手段１２．前記装着部材は、前記送風装置の電源用配線を引っ掛ける掛止部を備えていることを特徴とする手段１乃至１１のいずれかに記載の遊技機。
【０１８９】
上記手段１２によれば、電源用配線を引っ掛ける掛止部を備えることにより、配線の取り回し作業が容易となり、基板ボックス内の電気配線が煩雑となるおそれを低減することができる。また、電源用配線が制御基板上の電子部品に接触して不具合が発生するおそれを低減することができる。
【０１９０】
以下に、上記各手段が適用される各種遊技機の基本構成を示す。
【０１９１】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０１９２】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０１９３】
Ｃ．上記各手段における前記遊技機、又は、上記各弾球遊技機は、パチンコ機又はパチンコ機に準ずる遊技機であること。
【０１９４】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０１９５】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０１９６】
１０…パチンコ機、４２…装飾図柄表示装置、４５…表示制御装置、６５０…表示制御基板、６７０…取付プレート、６７５…冷却ファン、７５２…ホルダ部、７５３…支持脚部、７５４…係止片、７５５…突起部、７５７，７５８…凹部、７６０…補助脚部、７６２…リブ、７６３…掛止部、７７０…ストッパ。
【図１】
2020195909.tif 000003
【図２】
2020195909.tif 000004
【図３】
2020195909.tif 000005
【図４】
2020195909.tif 000006
【図５】
2020195909.tif 000007
【図６】
2020195909.tif 000008
【図７】
2020195909.tif 000009
【図８】
2020195909.tif 000010
【図９】
2020195909.tif 000011
【図１０】
2020195909.tif 000012
【図１１】
2020195909.tif 000013
【図１２】
2020195909.tif 000014
【図１３】
2020195909.tif 000015
【図１４】
2020195909.tif 000016
【図１５】
2020195909.tif 000017